(57)【要約】【目的】  本発明は男性の手の指を曲げて強制的に保持することにより、女性の身体へ故意に触る痴漢行為を防止し、且つ身体に巧く触られないという証明により痴漢事件の冤罪防止をはかろうとするものであり、また吊り輪にも手を引っ掛けられて重い手荷物なども楽に提げられる手の保護具としても活用できる手指の屈曲保持具に関するものである。【構成】  手袋１に手の指を内側に曲げたような形状に屈曲した指屈曲板２を取付けた基本構成で、指屈曲板２の屈曲形状は電車内の吊り輪７やカバン６の握り手を挟み込める寸法とし、手の指を内側に屈曲した状態を保持する機構を特徴とした構成である。【選択図】図１
2011001673.tif 000002
【特許請求の範囲】
【請求項１】
手袋１に手の指を内側に曲げたような形状に屈曲した指屈曲板２を取付けた基本構成で、指屈曲板２の屈曲形状は電車内の吊り輪やカバンの握り手を挟み込める寸法とし、手の指を内側に屈曲した状態を強制的に保持する機構を特徴とした手指の屈曲保持具。
【請求項２】
指屈曲板２の中手部に位置する第２指と第３指と第４指の付根から指の先端に手袋１の指と指の間を挟み込むための開口部である指間切口５を有し、指屈曲板２の手根端部位置前面に手袋１と取付ける手袋止め具３を有し、手袋１の手根部位置内部に指屈曲板２の手袋止め具３と取付ける指屈曲板止め具４を有した構成であり、手袋１の中に指屈曲板２を入れ込んで手袋止め具３と指屈曲板止め具４で取付けた機構を特徴とした請求項１記載の手指の屈曲保持具。
【請求項３】
二股手袋の第２指や第３指や第４指や第５指を入れる側の中に指屈曲板２を入れて取付ける構成とした請求項１記載の手指の屈曲保持具。
【請求項４】
手袋１の外部内側に指屈曲板２を有した構成とした請求項１記載の手指の屈曲保持具。
【請求項５】
指屈曲板２の手首位置に手首バンド８を有し、指先位置に指先バンド９を有した構成で直接素手に固定する機構を特徴とした手指の屈曲保持具。
【発明の詳細な説明】
【技術分野】
【０００１】  本発明は男性の手の指を内側に曲げた状態で強制的に保持することにより、女性の身体へ故意に触る痴漢行為を防止し、且つ身体に巧く触れられないという証明により痴漢事件の冤罪防止をはかろうとするものであり、また電車内の吊り輪にも容易に手を引っ掛けられるし、日常生活においても重い手荷物も楽に提げられて手を痛めない保護具としても活用できる手指の屈曲保持具に関するものである。
【背景技術】
【０００２】  従来、満員電車などで多発している男性が女性の身体を故意に触る痴漢事件は主に女性が被害を受けるものであったが、近年女性の悪質で作為的行為や勘違いなどによる冤罪により男性が被害を受ける場合が発生している、特にこの種の犯罪は社会的にも卑劣な行為として制裁を受ける為に痴漢防止策は勿論のこと特に冤罪防止策が必要であったが有効で具体的な技術は実用化されていなかった。
【発明の解決しようとする課題】
【０００３】  通勤や通学などの満員電車では身体どうしが密着し手のやり場がない環境であり、この悪い状況を利用した痴漢行為や痴漢犯罪の冤罪事件が発生し問題であった。
【０００４】  卑劣な痴漢犯罪の具体行為は男性の指先腹部、すなはち指紋のある部分で女性の身体を故意に触る作用であるが、これらを防止する技術や触れないことを証明する技術は開発されていなかった。
【０００５】  従来の技術で電車用の模擬吊り輪が痴漢防止用具として開発され販売されたが手を上に挙げて触れないようにすることが主目的であって直接に痴漢犯罪防止や冤罪防止用の物証として有効性をなすものではなかったし、携帯が大変であり不便でもあった。
【０００６】  また高齢化社会が進行する現状において、高齢者や女性が買い物などで重い手荷物を提げる場合が多いが、特に手荷物の握り手部が手に食い込んで手が痛くなるという問題が多かった。
【課題を解決するための手段】
【０００７】  本課題を解決する基本的手段を説明すれば、
手袋１に手の指を内側に曲げたような形状に屈曲した指屈曲板２を取付けた基本構成で、少なくとも第２指や第３指や第４指を屈曲した状態に保持し各指を伸ばせない状態に拘束することを目的とした機構であり、指屈曲板２の屈曲形状は電車内の吊り輪７やカバン６等の握り手を挟み込める程度の寸法とする。
【０００８】  指屈曲板２は軽量の樹脂板で手袋１の中手部に位置する第２指や第３指や第４指の付根から指の先端に手袋１の指と指との間を挟み込む指間切口５を複数有し、指屈曲板２の手根端部位置を若干手背側に屈曲して、その前面に手袋１と取付ける手袋止め具３を有し、手袋１の手根位置内部に指屈曲板２の手袋止め具３と取付ける指屈曲板止め具４を有した構成であり、手袋１に指屈曲板２を入れ込んで手袋止め具３と指屈曲板止め具４で取付けた機構である。
【０００９】  二股手袋の第２指や第３指や第４指や第５指を入れる側の中に指屈曲板２を入れて手袋止め具３と指屈曲板止め具４により取付けた二本指型手袋の構成であり、この指屈曲板２には指間切口５を設けない。
【００１０】  手袋１の外部内側に指屈曲板２を取付けた構成であり、この指屈曲板２には指間切口５を設けない。
【００１１】  指屈曲板２の手首位置に手首バンド８を有し、指先位置に指先バンド９を有して、素手に直接指屈曲板２を取付けた構成である。
【発明の効果】
【００１２】  本発明の効果を述べると、
本発明の手指の屈曲保持具を使用することにより手の指を屈曲した状態に強制的に保持するため女性の身体を指先の腹部で触ることを防止でき、特に下着の中に手を差し込むといった卑劣な行為の防止には有効であり、手袋１を嵌めていることにより指先で身体を触ることが出来ないことの証明も可能となるため社会的な問題となっている痴漢犯罪の減少や痴漢冤罪の減少に役立つものであり、高齢化社会において重い手荷物を提げる際の手の痛みも緩和でき高齢者や女性の買物などにも便利ですし外観的には一般の手袋と分別がつかなく、指屈曲板２を取外せば一般の手袋として使用できるため多様性があり明るく楽しく健全な社会づくりに大きく貢献できるものである。
【発明を実施するための最良の形態】
【００１３】  軽量で皮膚に無害の樹脂板を手の指を内側に曲げたような形状に屈曲し、手袋１の中手部に位置する指の付根から先端に手袋１の第２指と第３指および第３指と第４指の各指間を挟み込む指間切口５を有した指屈曲板２の手根端部位置を手背側へ若干屈曲して手根への接応性を良くし、その前面に手袋１と取付ける面ファスナーの手袋止め具３を有して手袋１の手根端部位置内部に指屈曲板２の手袋止め具３と取付ける面ファスナーの指屈曲板止め具４を有した構成であり、手袋１の第１指や第５指を除く他の指は一般手袋の指より若干太くして指の入れ込みを容易にするし指屈曲板２の屈曲形状は電車内の吊り輪７やカバン６の握り手などを挟み込める寸法とし指屈曲板２の幅は第２指と第３指と第４指の三指が当る程度の寸法とする。【００１４】  手袋１を五本指型ではなく二本指の二股型とする場合には製造原価を安くするため指屈曲板２の指間切口５を省く構成とする。【００１５】  本発明の作用を述べると、
手袋１の内部に指屈曲板２を入れ込みます、五本指手袋の場合には指屈曲板２の各指間切口５に手袋１の第２指と第３指間および第３指と第４指間を挟み込んで指屈曲板２の手袋止め具３と手袋１の指屈曲止め具４を取付けて固着した手袋に手を入れ込むと指屈曲板２により指は屈曲状態にて保持拘束されるため、手の指腹で女性の身体を巧く触ることは出来なくなる作用であるし、触れられないことを証明して冤罪の防止を可能とするものである。【００１６】  手袋１の指屈曲板２により、車内の吊り輪７や吊り革などに引っ掛けて保持することが出来るし、握り手部があるカバン６や手荷物なども提げることが出来る作用である。【００１７】  手袋１の指屈曲板２が手の保護カバー的役割をして、握り手部を有する重い手荷物でも手を痛くすることなく提げることができる作用である。【００１８】  手袋１が汚れた場合には面ファスナーの手袋止め具３と指屈曲板止め具４を取外して指屈曲２を取り出せば手袋１は洗濯が可能でありますし、洗濯乾燥後の取付けも容易である。【００１９】  また手袋１の外部内側に指屈曲板２を取付け、少なくても指屈曲板２と手袋１の指先腹部と手首位置を固定した構成とするし、指屈曲板２を直接素手に手首バンド８と指先バンド９により固定する構成とする。
【実施例】
【００２０】  試作品での具体実施例を述べれば、
（イ）厚さ３ミリ幅５０ミリの低発泡塩ビ板を手袋１の指付根位置から先端位置まで幅３ミリの指間切口５を２箇所等間隔で開口して屈曲径４０ミリで曲げ加工し、その手根端部を若干外側に曲げて凹状面ファスナーの手袋止め具３を前面に取付けた指屈曲板２を製作した。
（ロ）市販手袋内部の手根当り面端部に凸状面ファスナーの指屈曲板止め具４を取付けた手袋１を製作した。
（ハ）試作した指屈曲板２を手袋１に取付けて試用してみた、手の指を屈曲した状態で保持でき指を伸ばすことが出来なくて指先の指腹で身体を触ることは出来なかったし、電車内の吊り輪７を掴めてカバン６を提げることも出来たし、重い荷物も手を痛めることなく提げることが出来た。
【図面の簡単な説明】
【００２１】
【図１】本発明の一例を示す、手袋１に指屈曲板２を取付けた状態の斜視図
【図２】本発明の一例を示す、手袋１と指屈曲板２の斜視図
【図３】本発明の使用例を示す、カバン６を提げた状態の斜視図
【図４】本発明の使用例を示す、吊り輪７に引掛けた状態の斜視図
【図５】本発明の一例を示す、手袋１の外側に指屈曲板２を取付けた状態の斜視図
【図６】本発明の一例を示す、指屈曲板２を素手に取付けた状態の斜視図
【符合の説明】
【００２２】  １は手袋            ２は指屈曲板          ３は手袋止め具
４は指屈曲板止め具  ５は指間切口          ６はカバン
７は吊り輪          ８は手首バンド        ９は指先バンド
【図１】
2011001673.tif 000003
【図２】
2011001673.tif 000004
【図３】
2011001673.tif 000005
【図４】
2011001673.tif 000006
【図５】
2011001673.tif 000007
【図６】
2011001673.tif 000008